(57)【特許請求の範囲】
【請求項１】
押しボタンの押圧操作により被押印物に押印するスタンプユニットに於いて、
前記押しボタンを押しボタンガイド部材の周面に回動自在に支持すると共に、該押しボタンを所定の回動位置で押圧操作可能に規制する規制部と、前記押しボタンを前記所定の回動位置から退避する方向に回動付勢する第１の付勢部材と、前記押しボタンを押圧方向とは反対側に付勢する第２の付勢部材とを設けたことを特徴とするスタンプユニット。
【請求項２】
写真フイルムパッケージを収容するフイルムホルダに取り付けられ、押しボタンの押圧操作により前記写真フイルムパッケージに撮影済みを示すマークを押印するスタンプユニットに於いて、
前記押しボタンを押しボタンガイド部材の周面に回動自在に支持すると共に、該押しボタンを所定の回動位置で押圧操作可能に規制する規制部と、前記押しボタンを前記所定の回動位置から退避する方向に回動付勢する第１の付勢部材と、前記押しボタンを押圧方向とは反対側に付勢する第２の付勢部材とを設けたことを特徴とするフイルムホルダ用スタンプユニット。
【請求項３】
写真フイルムパッケージを収容するフイルムホルダに取り付けられたスタンプユニットの使用方法に於いて、
前記写真フイルムパッケージの露光後に、前記スタンプユニットの押しボタンを第１の付勢部材の付勢力に抗して押しボタンガイド部材の周面に沿って回動すると共に規制部に沿って回動し、
前記押しボタンが前記規制部から退避した所定の回動位置で押しボタンを第２の付勢部材の付勢力に抗して押圧操作して、前記写真フイルムパッケージに撮影済みを示すマークを押印することを特徴とするスタンプユニットの使用方法。
【発明の詳細な説明】
【０００１】
【産業上の利用分野】
本発明はスタンプユニットに係り、特にフイルムホルダに収容された写真フイルムパッケージに撮影済みを示すマークを押印するスタンプユニットに関する。
【０００２】
【従来の技術】
プロ用の写真フイルムとして、シート状写真フイルムを遮光封筒に収納した写真フイルムパッケージが知られている。この写真フイルムパッケージは、カメラの背部に装着されたフイルムホルダに挿入され、撮影時には遮光封筒のみを引き出して写真フイルムをフイルムホルダの露出開口部から露出させ、そして、撮影が終了すると、遮光封筒を押し込んでフイルムユニットを光密に収納した後、フイルムホルダから引き出される。
【０００３】
フイルムホルダにはスタンプユニットが取り付けられたものがある。このスタンプユニットは、押しボタンを押しボタンガイド部材に沿って押圧操作すると、押しボタンに連結された印材が写真フイルムパッケージの挿入路に突出移動して、写真フイルムパッケージの遮光封筒に撮影済みを示すマークを押印する。前記押しボタンは、付勢部材によって押圧操作方向とは逆方向に付勢されており、押印後、押しボタンから手を離せば前記付勢部材の付勢力によって元の位置に復帰移動する。
【０００４】
【発明が解決しようとする課題】
しかしながら、従来のスタンプユニットは、押しボタンの押圧操作のみで押印される構造なので、未撮影の写真フイルムパッケージに不用意にマークを押印してしまうという欠点がある。
また、従来のスタンプユニットでは、例えば写真フイルムパッケージを収容した状態でフイルムホルダをケースに仕舞うと、押しボタンがケースの内壁面に押されてしまい、印材が遮光封筒に押されたままで保管される場合があるので、スタンプインクの消耗が早いという欠点がある。
【０００５】
本発明はこのような事情に鑑みてなされたもので、不用意な押印を防止することができるスタンプユニットを提供することを目的とする。
【０００６】
【課題を解決する為の手段】
本発明は、前記目的を達成する為に、押しボタンの押圧操作により被押印物に押印するスタンプユニットに於いて、前記押しボタンを押しボタンガイド部材の周面に回動自在に支持すると共に、該押しボタンを所定の回動位置で押圧操作可能に規制する規制部と、前記押しボタンを前記所定の回動位置から退避する方向に回動付勢する第１の付勢部材と、前記押しボタンを押圧方向とは反対側に付勢する第２の付勢部材とを設けたことを特徴とする。
【０００７】
本発明は、前記目的を達成する為に、写真フイルムパッケージを収容するフイルムホルダに取り付けられ、押しボタンの押圧操作により前記写真フイルムパッケージに撮影済みを示すマークを押印するスタンプユニットに於いて、前記押しボタンを押しボタンガイド部材の周面に回動自在に支持すると共に、該押しボタンを所定の回動位置で押圧操作可能に規制する規制部と、前記押しボタンを前記所定の回動位置から退避する方向に回動付勢する第１の付勢部材と、前記押しボタンを押圧方向とは反対側に付勢する第２の付勢部材とを設けたことを特徴とする。
【０００８】
本発明は、前記目的を達成する為に、写真フイルムパッケージを収容するフイルムホルダに取り付けられたスタンプユニットの使用方法に於いて、前記写真フイルムパッケージの露光後に、前記スタンプユニットの押しボタンを第１の付勢部材の付勢力に抗して押しボタンガイド部材の周面に沿って回動すると共に規制部に沿って回動し、前記押しボタンが前記規制部から退避した所定の回動位置で押しボタンを第２の付勢部材の付勢力に抗して押圧操作して、前記写真フイルムパッケージに撮影済みを示すマークを押印することを特徴とする。
【０００９】
【作用】
請求項１記載の発明によれば、押しボタンガイド部材に対して押しボタンを、付勢部材の付勢力に抗して回動させ、そして、規制部に規制された所定の回動位置に位置させて押圧操作する。従って、本発明のスタンプユニットでは、押しボタンを前記所定の回動位置まで回動させなければ押圧操作することができないので、不用意な押印を防止できる。
【００１０】
請求項２記載の発明によれば、押しボタンガイド部材に対して押しボタンを、付勢部材の付勢力に抗して回動させ、そして、規制部に規制された所定の回動位置に位置させて押圧操作し、フイルムホルダに収容された写真フイルムパッケージに撮影済みを示すマークを押印する。従って、本発明のスタンプユニットでは、押しボタンを前記所定の回動位置まで回動させなければ押圧操作することができないので、不用意な押印を防止できる。
【００１１】
請求項３記載の発明によれば、写真フイルムパッケージの露光後に、スタンプユニットの押しボタンを付勢部材の付勢力に抗して押しボタンガイド部材の周面に沿って回動すると共に規制部に沿って回動する。そして、押しボタンが前記規制部から退避した所定の回動位置で押しボタンを押圧操作する。これにより、写真フイルムパッケージには撮影済みを示すマークが押印される。
【００１２】
【実施例】
以下添付図面に従って本発明に係るスタンプユニットの好ましい実施例について詳説する。
先ず、フイルムホルダに使用され、本発明に係るスタンプユニットで押印される写真フイルムパッケージについて説明する。図６に示すように写真フイルムパッケージ１は、図中点線で示すフイルムユニット２と、遮光封筒３とから成る。フイルムユニット２は写真フイルムＦを有しており、この写真フイルムＦの先端縁部（図中左側）には第１キャリアシート４を介してクリップ５が固着される。クリップ５は図７に示すように、断面が略Ｖ字状に形成されている。また、写真フイルムＦの後端縁部（図中右側）には図６に示すように、台形状の第２キャリアシート６が着脱自在に接合される。第２キャリアシート６は、フイルムユニット２が遮光封筒３に収納された際に、遮光封筒３の後端部近傍に位置される。
【００１３】
遮光封筒３はボール紙等の遮光部材で作られており、左側の図示しない挿入口から前記フイルムユニット２が図中矢印方向に出し入れされる。前記挿入口は、フイルムユニット２が遮光封筒３に収納されると、前記クリップ５に嵌入して閉鎖される。これにより、写真フイルムＦの感光が防止される。また、帯状のストッパテープ７が遮光封筒３の先端部近傍で、遮光封筒３の横断方向に接着されている。
【００１４】
図１は、本発明のスタンプユニット４０が取り付けられたフイルムホルダ１０の実施例を示す平面図、図２、図３はフイルムホルダの断面図である。
前記フイルムホルダ１０はフイルムホルダ本体１２、係合板１４、押圧板１６等を有している。
フイルムホルダ本体１２は、上蓋１８と底蓋２０とで箱体に構成される。フイルムホルダ本体１２の上蓋１８の表面には矩形状の露出開口部２２が形成される。フイルムホルダ本体１２の右縁部には出入口２４が形成され、この出入口２４から写真フイルムパッケージ１がクリップ５を先端にして出し入れされる。
【００１５】
係合板１４は底蓋２０にねじ固定される。また、係合板１４の両側縁部には、一対の板ばね２６が一体に延設される。これらの板ばね２６によって押圧板１６がフイルムホルダ本体１２の露出開口部２２に向けて押圧付勢される。係合板１４には、３本の係合爪２８が所定の間隔で延設される。これらの係合爪２８は図２に示すように、フイルムホルダ本体１２内の最終位置に挿入された写真フイルムパッケージ１のクリップ５と係合される。
【００１６】
リリースレバー３０は図２、図３に示すように、本体部３２と手押しレバー３４とから構成される。本体部３２は、図示しないスプリングの付勢力によって写真フイルムパッケージ１の引き出し方向に付勢され、手押しレバー３４の操作によって、本体部３２をスプリングの付勢力に抗して写真フイルムパッケージ１の挿入方向に移動させることができる。
【００１７】
本体部３２の図中左端縁には、３枚の係合解除爪３６が折り曲げ形成される。係合解除爪３６は、本体部３２が手押しレバー３４に押されて図２中左方向にスライド移動すると、係合爪２８に当接して係合爪２８を写真フイルムパッケージ１のクリップ５との係合位置から退避させる。
次に、本実施例のスタンプユニット４０の構成について説明する。
【００１８】
図２に示すように前記スタンプユニット４０は、底蓋２０の出入口２４の近傍に配置され、押圧操作されることにより図６に示した遮光封筒３の裏側の後端隅部に『済』マーク４１を押印する。
前記スタンプユニット４０は図４に示すように、スポンジ等の多孔性印材４２、押しボタン４４、押しボタンガイド部材４６等を有し、前記多孔性印材４２を写真フイルムパッケージ１の挿入路４８に向けて、押しボタンガイド部材４６を底蓋２０の孔部５０に嵌入することにより底蓋２０に固定される。
【００１９】
前記多孔性印材４２の表面には『済』のマークが形成され、また多孔性印材４２は、スタンプインクが吸蔵されたスポンジ５２と、このスポンジ５２の固定部材５４と共に筒状のホルダ５６に保持されている。前記固定部材５４はネジ５８によって押しボタン４４に固定される。
前記押しボタン４４はカップ状に形成され、その内周面が押しボタンガイド部材４６の外周面に摺接されている。また、スプリング６０が押しボタン４４と押しボタンガイド部材４６との間に配置される。押しボタン４４は、スプリング６０の付勢力によって図４中下方向に付勢され、この付勢力で前記固定部材５４の外周部に形成された段部５４Ａが押しボタンガイド部材４６の内周面に形成された段部４６Ａに当接することにより図４中実線で示した位置に位置決めされる。この時、前記多孔性印材４２は、写真フイルムパッケージ１の挿入路４８から退避した位置に位置決めされる。
【００２０】
押しボタン４４の内周面には、図５に示すようにガイド片（規制部）６２、６２が突出形成される。前記ガイド片６２は対称位置に形成されると共に、押しボタン４４の押圧操作方向（図４中、上下方向）に沿って延設される。
押しボタンガイド部材４６の外周面には、前記ガイド片６２を９０°の範囲内で移動可能にガイドする円弧状の段部（規制部）６４、６４が形成される。これにより、押しボタン４４は押しボタンガイド部材４６に対して９０°の範囲内で回動自在となっている。前記段部６４の一端部には、前記ガイド片６２が挿通されるガイド溝（規制部）６６が形成され、このガイド溝６６は押しボタン４４の押圧操作方向（図４中、上下方向）に沿って延設されている。従って、押しボタン４４は、図５に示した位置から反時計回り方向に９０°回動させ、ガイド片６２をガイド溝６６に対応させた位置のみ押圧操作が可能となる。
【００２１】
また、押しボタン４４は図４に示す捩じりばね６８の付勢力によって図５中時計回り方向に付勢され、この付勢力によってガイド片６２が段部６４の一端壁６４Ａに当接することにより、ガイド片６２がガイド溝６６に対して９０°ずれた位置で位置決めされる。前記捩じりばね６８は、上端部が治具７０によって押しボタンガイド部材４６に固定され、下端部が治具７２によって押しボタン４４に固定されている。
【００２２】
次に、前記の如く構成されたスタンプユニットの使用方法について説明する。先ず、写真フイルムパッケージ１をクリップ５を先端にしてフイルムホルダ本体１２内に挿入し、クリップ５を図２に示すように係合板１４の係合爪２８に係合させてフイルムユニット２をフイルムホルダ本体１２内に保持する。次に、遮光封筒３のみをフイルムホルダ本体１２から引き出して、写真フイルムＦを露出開口部２６から露出させる。次いで、撮影が終了すると遮光封筒３をフイルムホルダ本体１２内に収納し、フイルムユニット２を遮光封筒３に収納する。
【００２３】
次に、前記スタンプユニット４０を用いて遮光封筒３に『済』マークを押印する。先ず、押しボタン４４を捩じりばね６８の付勢力に抗して図５中反時計回り方向に回動する。そして、押しボタン４４のガイド片６２が押しボタンガイド部材４６の段部６４の他端壁６４Ｂに当接して回動が規制された位置で、即ち、ガイド片６２とガイド溝６６とが対応した位置で押しボタン４４をスプリング６０の付勢力に抗して図４中上方向に押圧する。押しボタン４４を前記位置で押圧すると、ガイド片６２がガイド溝６６に沿って摺動することにより押しボタン４４の押圧操作が可能となり、これによって多孔性印材４２が写真フイルムパッケージ１の挿入路４８に進出移動し、遮光封筒３の裏面に『済』マーク４１を押印する。
【００２４】
押印後、押しボタン４４から手を離すと、押しボタン４４はスプリング６０の付勢力により下方に移動され、そして、ガイド溝６６からガイド片６２が離れると捩じりばね６８の付勢力によって図５中時計回り方向に回動し、ガイド片６２が段部６４の一端壁６４Ａに当接した位置で停止する。これにより押しボタン４４は、押印操作する前の元の位置に自動的に復帰移動する。
【００２５】
押印操作が終了すると、フイルムホルダ１０の手押しレバー３４を操作しリリースレバー３０の本体部３２を図２中左方向にスライド移動させ、本体部３２の係合解除爪３６で係合爪２８とクリップ５との係合を解除させて、写真フイルムパッケージ１をフイルムホルダ本体１２から引き出す。
以上説明したように、本実施例のスタンプユニット４０では、図５に示した位置で押しボタン４４を押そうとしてもガイド片６２と段部６４とのロック作用により押すことができず、押圧操作を行う場合には押しボタン４４を回動させなければならないので、不用意な押印を防止することができる。
【００２６】
本実施例では、フイルムホルダに適用されたスタンプユニットについて説明したが、これに限られるものではなく、スタンプユニットを単体で使用する印鑑用のスタンプユニットとしても用いることもできる。
【００２７】
【発明の効果】
以上説明したように本発明に係るスタンプユニットによれば、押しボタンを付勢部材の付勢力に抗して所定の回動位置まで回動させなければ押圧操作することができないので、不用意な押印を防止できる。
【図面の簡単な説明】
【図１】本発明に係るスタンプユニットが取り付けられたフイルムホルダの一部破断部を含む平面図
【図２】フイルムホルダの断面図
【図３】フイルムホルダの断面図
【図４】本発明に係るスタンプユニットの縦断面図
【図５】図４中５−５線上に沿うスタンプユニットの全断面図
【図６】写真フイルムパッケージの平面図
【図７】図６に於ける側面図
【符号の説明】
１…写真フイルムパッケージ
２…フイルムユニット
３…遮光封筒
５…クリップ
１０…フイルムホルダ
１２…フイルムホルダ本体
４０…スタンプユニット
４２…多孔性印材
４４…押しボタン
４６…押しボタンガイド部材
６０…スプリング
６２…ガイド片
６４…段部
６６…ガイド溝
６８…捩じりばね
【図１】
0003641847.tif 000002
【図２】
0003641847.tif 000003
【図３】
0003641847.tif 000004
【図４】
0003641847.tif 000005
【図５】
0003641847.tif 000006
【図６】
0003641847.tif 000007
【図７】
0003641847.tif 000008